(57)【要約】【課題】複数の用途に応じて調整された設定データを、効率的に組み込み、用途に応じて使用することが可能な電子機器を提供する。【解決手段】電子機器（例えばＴＶ受像機）は、複数種類の設定値からなる設定データに基づき処理を実行する。電子機器は、自機の用途別（例えば設置環境別）に調整することで用途別に得た設定データ（例えば一般ユーザ用，Ａ系列のホテル用，Ｂ系列のホテル用）のそれぞれを、書き込み、書き換え、及び消去が個別に可能な別々の格納領域（例えば領域I，II，III）に格納する個別格納手段を備える。【選択図】図２
2008205610.tif 000002
【特許請求の範囲】
【請求項１】
複数種類の設定値からなる設定データに基づき処理を実行する電子機器であって、当該電子機器の用途別に調整することで用途別に得た前記設定データのそれぞれを、書き込み、書き換え、及び消去が個別に可能な別々の格納領域に格納する個別格納手段を備えたことを特徴とする電子機器。
【請求項２】
前記用途は、当該電子機器の設置環境又は使用シーンで分類された用途を含むことを特徴とする請求項１に記載の電子機器。
【請求項３】
前記個別格納手段で格納された設定データのうち使用する設定データを指定する指定手段を備え、該指定手段で指定された設定データを用いて処理を実行することを特徴とする請求項１又は２に記載の電子機器。
【請求項４】
当該電子機器は、映像表示装置又は映像表示装置へ映像を出力する映像出力装置を、少なくとも備えて構成され、前記用途は、前記映像表示装置の表示画面を分割した場合の分割画面別に分類された用途を含むことを特徴とする請求項３に記載の電子機器。
【請求項５】
前記個別格納手段は、或る分割画面に対応する格納領域に書き込まれた設定データの一部又は全部を、他の分割画面に対応する格納領域の設定データの一部又は全部として複写する複写手段を有することを特徴とする請求項４に記載の電子機器。
【請求項６】
前記複写手段は、前記分割画面毎に設定した異なる種類の設定値を、一つの格納領域の設定データの設定群として複写する手段を有することを特徴とする請求項５に記載の電子機器。
【請求項７】
当該電子機器は音声出力装置を備え、前記用途は、分割画面に入力される映像の種類又は音声の種類で分類された用途を含み、前記指定手段は、各分割画面に対してそれぞれ、分割画面に入力される映像の種類又は音声の種類に対応した設定データを指定することを特徴とする請求項４乃至６のいずれか１項に記載の電子機器。
【請求項８】
当該電子機器は、映像表示装置又は映像表示装置へ映像を出力する映像出力装置、及び音声出力装置を、少なくとも備えて構成され、前記用途は、前記映像表示装置の表示画面に入力される映像の種類又は音声の種類で分類された用途を含み、前記指定手段は、表示画面に入力されている映像の種類又は音声の種類に対応した設定データを指定することを特徴とする請求項３に記載の電子機器。
【請求項９】
複数種類の設定値からなる設定データに基づき処理を実行する電子機器における設定値の設定方法であって、前記電子機器の用途別に調整することで用途別に得た前記設定データのそれぞれを、書き込み、書き換え、及び消去が個別に可能な別々の格納領域に格納する個別格納ステップと、該格納した用途別の設定データのうち少なくとも前記電子機器の使用時に必要な設定データで、前記電子機器の処理が実行できるように、設定データの設定を行う設定ステップとを含むことを特徴とする設定値の設定方法。
【請求項１０】
前記設定ステップは、前記個別格納ステップで格納した用途別の設定データのうち前記電子機器で使用する設定データを指定するステップ、及び／又は、前記個別格納ステップで格納した用途別の設定データのうち前記電子機器の使用時に必要な設定データを少なくとも残して消去するステップを含むことを特徴とする請求項９に記載の設定値の設定方法。
【発明の詳細な説明】
【技術分野】
【０００１】
本発明は、電子機器、及び電子機器における設定値の設定方法に関する。
【背景技術】
【０００２】
電子機器には、その電子機器がもつ機能に対応した各種処理を実行するために設定値のデータが不揮発性メモリに格納されていることが多く、その場合、各種処理の実行時にはその設定データが不揮発性メモリから読み出されることとなる。
【０００３】
特許文献１には、簡単な操作で設定データを初期値に戻すことが可能なテレビジョン（ＴＶ）受像機が開示されている。このＴＶ受像機では、書き換え可能な不揮発性メモリに、回路各部の設定データの標準値が記憶される第１の領域とユーザ操作の結果得られたオフセット値が記憶される第２の領域とが別々に設けられている。そして、このＴＶ受像機では、第１の領域からの標準値と第２の領域からのオフセット値とが加算された設定データにより回路各部を設定するようにしてあり、この場合の標準値は工場出荷時に初期設定で書き込まれるように構成されている。
【０００４】
また、特許文献２には、画像を表示する表示装置において、パスワードや画像認識結果に基づき他人による設定の変更を禁止する技術や、他人による設定変更を受け入れるが、所定期間経過すると元に戻す技術も開示されている。
【特許文献１】特公平０６−０８３０９７号公報
【特許文献２】特開２００５−４３７２１号公報
【発明の開示】
【発明が解決しようとする課題】
【０００５】
ところで、同じ電子機器であっても出荷先によって同じ設定データで初期設定すると好ましくない場合がある。ＴＶ受像機を例に挙げると、一般家庭（一般ユーザ）とホテルではその使用形態が異なるため、一般ユーザ向けとは別にホテル向けなどのために特別な調整（チューニング）を行い、少なくとも使用時には別々の設定にしておく必要がある。この設定は、喩えユーザからリセット操作がなされたとしても保持できるようにする必要もある。さらに、ホテル向け出荷の製品といってもホテルの系列や間取りの違いなどによっても要求される設定が異なるため、必要となる設定データの種類は合計２つ（一般ユーザ（市販用）とホテル用）に留まるものではない。
【０００６】
このように複数種類の設定データを出荷先によって振り分ける必要があるため、また組み込んだ設定データ又はその必要部分がユーザによってリセットされてしまうことを防止するために、工場出荷前に出荷先毎に対応する設定データで初期設定しておくことが望ましい。なお、複数種類の設定データは、例えば、一般ユーザ向けの設定データ、系列Ａのホテル（ホテルＡ）向けの設定データ、などと予め調整して得ておくとよい。
【０００７】
なお、より出荷台数の多い一般ユーザ向けの設定データで全数一律に初期設定することも考えられるが、出荷先（納品先）においてサービスマンが個別に初期設定する必要がある。従って、特に出荷数が多い場合には非常に手間がかかり効率的とは言えない。
【０００８】
また、最近のＴＶ受像機は大型化しており、１台の画面を分割して複数人で使用するなどの提案もなされており、このようなケースにおいては、分割画面に応じた設定データや使用者に応じた設定データを保持することが望まれる。このように、ＴＶ受像機はホテルの系列毎の用途や分割画面毎の用途をはじめとして様々な用途で用いることが想定される。
【０００９】
一方、特許文献２に記載の技術では、他人による設定自体が禁止されるので設定結果の保護は可能であるが、設定結果全体を一律に保護するものであるので、一部のみを保護したいような場合には不都合がある。
【００１０】
例えば、調整工程において、分割画面毎の用途に対応した設定データを保護した上で、ホテルＡ用及びホテルＢ用の設定データのうちいずれか一つを保護しようと仮に考えたとしても、最終的な設定しか保護できないため、全ての組み合わせ分だけ設定データを得てから、結局、設置環境や使用シーンに合わせて個体別に出荷初期設定を行わなければならない。このように、同じ製品であっても出荷先によって設置環境や使用シーンが多数想定できる場合には、同じ設定データを組み込める個体数が減るため、効率的とは言えない。このように、従来技術では、上述のごとき様々な用途に対応しきれるものではなく、効率的な設定が行えない。
【００１１】
本発明は、上述のごとき実情に鑑みてなされたものであり、複数の用途に応じて調整された設定データを、効率的に組み込み、用途に応じて使用することが可能な電子機器の提供、並びにその電子機器における設定値の設定方法の提供を、その目的とする。
【課題を解決するための手段】
【００１２】
上述のごとき課題を解決するために、本発明に係る電子機器は、複数種類の設定値からなる設定データに基づき処理を実行する電子機器であって、当該電子機器の用途別に調整することで用途別に得た前記設定データのそれぞれを、書き込み、書き換え、及び消去が個別に可能な別々の格納領域に格納する個別格納手段を備えたことを特徴としたものである。
【００１３】
また、本発明に係る電子機器における設定値の設定方法は、複数種類の設定値からなる設定データに基づき処理を実行する電子機器における設定値の設定方法であって、前記電子機器の用途別に調整することで用途別に得た前記設定データのそれぞれを、書き込み、書き換え、及び消去が個別に可能な別々の格納領域に格納する個別格納ステップと、該格納した用途別の設定データのうち少なくとも前記電子機器の使用時に必要な設定データで、前記電子機器の処理が実行できるように、設定データの設定を行う設定ステップとを含むことを特徴としたものである。
【発明の効果】
【００１４】
本発明によれば、電子機器において、複数の用途に応じて調整された設定データを、効率的に組み込み、用途に応じて使用することが可能となる。
【発明を実施するための最良の形態】
【００１５】
図１は、本発明に係る電子機器の一例としてのＴＶ受像機の構成例を示すブロック図で、図中、１はＴＶ受像機、４はリモコンである。以下、本発明に係る電子機器について図１のＴＶ受像機１を挙げて説明するが、基本的に他の構成のＴＶ受像機であってもレコーダ等の他種の電子機器であっても適用できる。
【００１６】
図１で例示するＴＶ受像機１は、デジタル放送とアナログ放送とが受信可能なＴＶ受像機であって、外部入力端子等でなる外部入力部１０と、アナログ放送を受信する受信アンテナ１１と、デジタル放送を受信する受信アンテナ１２と、アナログ放送の受信信号をチューニング（選局）するアナログチューナ部１３と、デジタル放送の受信信号をチューニングするデジタルチューナ部１４と、アナログ放送の受信データからオーディオデータ／ビデオデータを抽出するＡＶ信号処理部１５と、チューニングされたデジタル放送のデータを復調するデジタル復調部１６とを備える。なお、衛星放送等の他の放送を受信するには、同様にアンテナ、チューナ、及び復調部などをＴＶ受像機１に設ければよい。
【００１７】
また、ＴＶ受像機１は、ＥＰＧ（電子番組ガイド）データの抽出や、復調されたデータの分離を行う分離部１７と、分離されたデジタル放送のビデオデータをデコードしたり、ビデオ情報を静止画としてキャプチャするビデオデコード／キャプチャ部１８と、アナログ放送のビデオ信号とデジタル放送のビデオ信号との切換を行うビデオセレクタ部１９と、分離されたＥＰＧの処理や、ＯＳＤ（オンスクリーンディスプレイ）の表示処理を行うと共に、ＥＰＧと予約情報とをミックスさせて表示する処理を行うＥＰＧ／ＯＳＤ／予約処理部２０とを備える。なお、ＥＰＧの他にＥＳＧ（電子シンプルガイド）やテレテキストも表示可能としてもよい。
【００１８】
また、ＴＶ受像機１は、分離されたオーディオデータをデコードすると共に、音質調整を施した音量制御を行うアンプ付きのオーディオデコード部２１と、セレクトされたビデオ信号とＥＰＧやＯＳＤとを合わせてからビデオ出力として変換するビデオ出力変換部２２と、アナログ放送のオーディオ信号とデジタル放送のオーディオ信号の切換を行うオーディオセレクタ部２３と、セレクトされたオーディオ信号をＤ／Ａ変換するなどして出力信号に変換するオーディオ出力変換部２４と、アナログ放送及びデジタル放送のチューナでの選局処理を行う選局部２７とを備える。
【００１９】
さらに、ＴＶ受像機１は、映像を表示する表示装置と、音声出力用にスピーカ２６とを備える。ここでは、表示装置として、液晶表示装置２５を挙げるが、プラズマパネルディスプレイ等の他の表示装置であってもよい。液晶表示装置２５は、ビデオ出力変換部２２から出力されたビデオ信号（映像信号）を表示する。スピーカ２６は、オーディオ出力変換部２４から出力された出力信号に基づき音声を出力する。また、ＴＶ受像機１は、ユーザが操作するリモコン４からの信号を受信するリモコン受光部３２と、電話回線、ＬＡＮ、インターネット等のネットワーク網との通信制御を行うと共に、インターネット経由でのＥＰＧデータ取得等に使用される通信制御部３１とを備える。
【００２０】
また、ＴＶ受像機１は、全体の処理を実行するＣＰＵ２９と、任意のアドレスを指定して読み書きすることが可能な半導体メモリであって、ＣＰＵ２９により不揮発性メモリ３０に格納されたＴＶ受像機１全体の制御を行うプログラムが読み込まれて作業領域となったり、処理中のデータを一時的に格納したりするＲＡＭ２８と、上述のプログラムや、本発明に係る設定データをはじめとする各種データが格納される書き換え可能な不揮発性メモリ３０とが、バスに接続されて設けられている。ＣＰＵ２９、ＲＡＭ２８（及び不揮発性メモリ３０）は演算手段の一例であり、マイクロコンピュータ等として構成することもできる。
【００２１】
一方、リモコン４には、電源のオン／オフボタン、チャンネル選択ボタン、音量調整ボタン、受信可能な放送信号や外部入力の映像信号の間で入力する映像信号を切り換える入力切換ボタン、ＴＶ受像機１の各種設定を行うメニュー画面を表示する操作を行うためのメニュー画面表示ボタン４１、メニューをはじめ設定時のカーソル位置の左右上下方向への移動操作や決定操作を行うための移動・決定ボタン４２、各処理を終了させる操作を行う終了ボタン、及び、各処理を一つ前の段階に戻す操作を行う戻りボタンなどが設けられている。
【００２２】
上述の設定データとしては、オーディオデコード部２１における音質調整用のデータや最大音量値などの音量調整用のデータ、液晶表示装置２５における各種映像調整用データなどが該当する。各種映像調整用データとしては、例えばホワイトバランス、コントラスト、輝度、色相、色飽和度、カラープロファイル、ノイズリダクションの強弱、画質強調など、様々な項目のデータが適用できる。
【００２３】
また、設定データは、後述する調整工程モードによって設定される液晶表示装置２５の標準値（工程値）とユーザ操作に基づいてそのオフセット値により構成される。このオフセット値の設定操作を含むユーザ操作は、基本的にリモコン４或いは本体側に設けられた操作ボタンを用いてなされる。例えば、ユーザがリモコン４のメニュー画面表示ボタン４１を押下すると、リモコン受光部３２でその押下信号を受信し、ＣＰＵ２９がＥＰＧ／ＯＳＤ／予約処理部２０に対してメニュー画面をＯＳＤ表示するよう指示し、液晶表示装置２５がメニュー画面を表示する。このメニュー画面に基づきリモコン４や本体の操作ボタン等で各種操作が可能となる。
【００２４】
上述のごとくＴＶ受像機１では、複数種類の設定値（複数の設定項目の値）からなる設定データが不揮発性メモリ３０に格納され、その設定データに基づき、さらにユーザ操作によるユーザ設定データを加味した上で、各種処理が実行される。但し、これら設定データは不揮発性メモリ３０のみに全て格納されている必要はなく、別途設けた不揮発性メモリに分けて格納されていてもよい。
【００２５】
さらに、出荷前の工場での調整工程や修理時や設置時においては、バスにコマンダ等を接続するなど調整手段を別途接続したり、特定のコマンド（所定のパスワード等）を入力することにより調整工程モードに入った状態で、液晶表示装置２５にＯＳＤ表示させるなどしながら上述の設定データの書き込み、書き換え、及び消去を行うものとする。特定のコマンドの入力により調整工程モードに入ることを可能にしておくことで、修理や設置時などに業者（サービスマン）が上述の調整手段がなくても設定データの書き込み等を行うことができる。いずれの場合でも、これら設定データのうち、液晶表示装置２５の標準値（工程値）自体は通常のユーザ操作では書き込み、書き換え、消去が不可能となっていることが望ましい。
【００２６】
本発明では、その主たる特徴として、上述の設定データを用途毎に別の格納領域（保存エリア）に格納できるように構成されている。すなわち、本発明では、複数の設定値からなる設定結果を格納（保存）する格納領域を複数個持たせ、他の格納領域に影響を与えることなく個別の管理（設定や初期設定）を可能としている。
【００２７】
そのため、本発明に係るＴＶ受像機１は、ＴＶ受像機１の用途別に調整することで用途別に得た設定データのそれぞれを、別々の格納領域に格納する個別格納手段を備える。これら別々の格納領域は、書き込み、書き換え、及び消去が個別に実行可能であるものとする。保存が必要な各設定データに対し、例えばその保存するエリアをアドレス指定で詳細（各設定データ毎）に分割するか或いは消去が不必要なフラグを付することにより、必要な部分のみ初期設定や設定変更を実行することができる。個別格納手段は、不揮発性メモリ３０及び図示しないメモリコントローラや、メモリコントローラを制御するためのプログラムやその実行手段であるＣＰＵ２９などで構成できる。
【００２８】
ここで、「用途」は、例えば設置環境や使用シーンなどで分類できる。使用シーンとしては、分割画面、映像データの種類（動画／静止画、ジャンル等）、音声の種類（ジャンル等）などで分類できる。なお、分割画面や映像データの種類での分類は、本発明に係る電子機器がＴＶ受像機１のように映像表示装置を備えるか、或いはレコーダ等のように映像表示装置への映像出力機能をもつ場合にのみ適用できる。組み合わせ方法としては、例えば、設置環境別に、分割画面別の設定データがあってもよいし、設置環境別の設定データと分割画面別の設定データとを独立して設けておいてもよい。独立して設ける場合には同じ設定項目の値（設定値）が重なって存在しないようにするとよく、重なる場合には優先度を付しておいてもよい。
【００２９】
上述のごとき個別格納手段を備えることにより、例えば、調整工程ラインの初期段階で音量設定データや映像調整データをホテル向けなどに特別にチューニングして組上げておき、調整工程ラインの最終段階にて工場出荷時の処理として、指定の保存領域（特別チューニングした情報を書き込んだエリア）以外、例えば一般ユーザ（市販用）設定データの保存領域の初期設定をすることができる。また、分割画面毎の用途に対応した設定データを保護した上で、ホテルＡ用の設置環境又はホテルＢ用の設置環境又は店頭展示用の設置環境の設定データいずれか一つを選んで、選んでない方の設定データを消去するような初期設定を実行することもできる。このように、本発明によれば、用途別に調整された設定データを効率的に組み込むことができ、また特別チューニング結果などの特殊な設定結果も保護することができる。
【００３０】
さらに、初期設定段階で不必要な設定データを消去しなくても、ＴＶ受像機１に次の指定手段を備えておくことで、その用途だけに応じた設定データのみを使用して起動させることもできる。この指定手段は、個別格納手段で格納された設定データのうち使用する設定データを指定する手段である。ＴＶ受像機１は、この指定手段で指定された設定データを用いて、内部の回路を設定し処理を実行する。指定手段は、使用する設定データについての情報を記録した不揮発性メモリ３０、その情報を起動時等に読み出す制御を実行するためのプログラム、及びその実行手段であるＣＰＵ２９などで構成できる。使用する設定データは、上述した調整手段や操作（但しパスワードの入力等を伴う操作）により指定し、使用する設定データの情報として読み出し可能に記憶させておくことで、起動時にも指定が可能となる。また、設定データによっては、ユーザ操作で指定可能としてもよい。
【００３１】
このような指定手段を備えることで、一律に全ての組み合わせで必要となる用途別の設定データ全てを格納した状態で、或いはその中から設置環境などに応じて使用する設定データのみを指定でき（必要ないものだけ消去した状態にすることで指定してもよい）、設定データの組み込みがより効率的に行え、当然、用途に応じて指定された設定データのみを使用して起動させることもできる。
【００３２】
図２は、本発明の一実施形態に係る電子機器に対して施される調整工程を、格納された設定データの遷移と共に説明するための図で、図１のＴＶ受像機１における不揮発性メモリ３０に格納された設定データの一例を示す図でもある。また、図３は、図２の設定データの格納手順を含む調整工程の一例を説明するためのフロー図である。
【００３３】
ここでは、ＴＶ受像機１の設置環境で分類された用途を含んだ例を、図２及び図３を参照しながら説明する。この場合、設定データが少なくともＴＶ受像機１の設置環境毎に別途用意され、別々の格納領域に格納されている。このとき、上述の指定手段は、設置環境を指定することで使用する設定データを指定するとよい。例えば、納入先（例えば、ホテル等の系列やホテル等の設置する部屋の間取り等）によって個別に初期設定又は設定をすることが可能な納入ホテル用の格納領域を複数個持たせ、実際に使用する際は納入先用に該当する格納領域を指定することで、参照する設定データを変更するとよい。
【００３４】
ここでは一例として、ＴＶ受像機１の設置環境が、一般家庭（一般ユーザ）、系列Ａのホテル（ホテルＡ）、及び系列Ｂのホテル（ホテルＢ）の３つに分類されることを前提として説明する。図２で例示する不揮発性メモリ３０の各格納領域５１〜５５は、領域I〜IIIに分かれ、領域毎に書き込み、書き換え、及び消去が可能となっている。すなわち、調整に伴って、領域I〜IIIそれぞれに設定データを設定可能になっている。領域I〜IIIのごとき領域分割は、アドレス指定で行うことや、設定データのそれぞれに初期化（又は消去）が不必要なフラグか初期化（又は消去）が必要なフラグのいずれかを付することでも実現できる。
【００３５】
まず、一般ユーザ（市販用）の調整を実施し（ステップＳ１）、その調整結果である一般ユーザ（市販用）設定データを格納領域５１で示すマッピング例のように領域Iに書き込む（ステップＳ２）。次に、一般ユーザ（市販用）設定データに基づき起動させたＴＶ受像機１でホテルＡ用の調整を実施し（ステップＳ３）、その調整結果であるホテルＡ用設定データを領域IIに書き込む（ステップＳ４）。次に、一般ユーザ（市販用）設定データ又はホテルＡ用設定データに基づき起動させたＴＶ受像機１でホテルＢ用の調整を実施し（ステップＳ５）、その調整結果であるホテルＢ用設定データを領域IIIに書き込む（ステップＳ６）。
【００３６】
ステップＳ３，Ｓ５に関し、一般ユーザ（市販用）設定データに対しホテル用に調整が必要な設定項目（設定値）としては、例えば音量の最大値、表示輝度（液晶表示装置２５の場合にはバックライト輝度）、リモコン４の操作無効化設定、最初に起動する画面（ホテル案内や有料チャンネルの紹介等の起動時の入力画面で、ＯＳＤ表示させるか外部機器からの出力画面を用いる）などが挙げられる。ステップＳ４，Ｓ６に関し、ホテルＡ，Ｂ用設定データは一般ユーザ（市販用）設定データからの追加調整項目のデータとして格納することを前提としている。従って、ＴＶ受像機１の起動時に読み出す設定データは、ホテルＡ（又はＢ）向けで一般ユーザ（市販用）設定データとホテルＡ（又はＢ）用設定データとなる。
【００３７】
ステップＳ１〜Ｓ６の処理の結果、格納領域５２で示すようなマッピングとなる。勿論、調整の順序は問わず、ホテルでの追加調整項目が単純なもの、例えば上述した追加設定項目程度であれば、喩えホテルＡ，Ｂ用の調整が済んだ後に一般ユーザ（市販用）の調整を行ってもよい。
【００３８】
ステップＳ１〜Ｓ６の後、ＴＶ受像機１のうちホテルＡに出荷する個体に対しては（ステップＳ７，Ｓ８でＹＥＳの場合）、格納領域５３のマッピング例のように出荷に際して不要となる、領域IIの設定データのオフセット領域を、初期化する（ステップＳ９）。ここで、一般ユーザ（市販用）の設定データが格納された領域Iのオフセット値やホテルＢ用の設定データが格納された領域IIIのオフセット値は、ホテルＡ向けの個体としては参照する必要が無いので初期化作業は省略される。ホテルＢに出荷する個体に関しても同様の趣旨で初期化が行われる（ステップＳ１１）。
【００３９】
ホテルＡ（又はＢ）用設定データは一般ユーザ（市販用）設定データからの追加調整項目のデータとして格納することを前提としたが、ホテルＡ（又はＢ）用設定データのみで起動設定可能とすることも、一般ユーザ（市販用）設定データの内容も加味したデータとするだけで実現できる。
【００４０】
一般ユーザ（市販用）に出荷する場合（ステップＳ７でＮＯの場合）には、全領域のオフセットデータを消去する初期化を行う（ステップＳ１０）。また、一般ユーザ（市販用）の個体は、勿論格納領域５１で示すマッピング例の状態のまま出荷してもよい。すなわち、ホテルＡ（又はＢ）用設定データを書き込むことなく出荷しても良い。
【００４１】
なお、一般ユーザ（市販用）に出荷する場合（ステップＳ７でＮＯの場合）には、ホテルＡ（又はＢ）用設定データのオフセットデータも含めた全領域を対象にオフセットデータを消去するようにしたが、一般ユーザ（市販用）向けとして初期化が必要な一般ユーザ（市販用）設定データの格納領域Iのオフセット値のみを初期化するようにしても良い。
【００４２】
また、ステップＳ９〜Ｓ１１では最終的に使用する設定データを用いた初期設定処理（又は不要なデータを消去する処理）を行うもの、不要となる設定データの初期化（又は消去）を行うことで結果的に必要となる設定データのみを使用するいう指定例を説明したが、初期化（又は消去）せずとも必要な設定データを直接フラグなどで指定しておきさえすれば、指定された設定データでＴＶ受像機１を起動時に設定することができる。このように、初期設定処理は、格納した用途別の設定データのうちＴＶ受像機１の使用時に必要な設定データに関してのみ初期化（又は消去）する処理、及び／又は、格納した用途別の設定データのうちＴＶ受像機１で使用する設定データを指定する処理を含むことが好ましい。
【００４３】
ＴＶ受像機１に対して施される初期設定処理は、これに限ったものではなく、ステップＳ２，Ｓ４，Ｓ６のごとき個別格納ステップで格納した用途別の設定データのうち少なくともＴＶ受像機１の使用時に必要な設定データで、ＴＶ受像機１の処理が実行できるように、設定データの初期設定を行う処理であればよい。
【００４４】
なお、上述の実施例では、各領域I〜IIIの設定データとしては、各領域別に音量やコントラストといった個別の調整項目毎に標準値とオフセット値からなる設定データを格納するようにし、出荷目的に応じて初期化が必要となる領域別に初期化を行う実施例について述べたが、標準値のデータ（標準データ）と、ユーザ設定データ（オフセット値）用に各別の格納領域を用意してもよい。いずれの場合にも、ＴＶ受像機１は、格納された設定データのうち指定の設定データ（及びそれ対応するユーザ設定データ）を用いて処理を実行することができる。また、ユーザ操作により書き込み、書き換え、及び消去が可能な格納領域はユーザ設定データが格納された格納領域だけとすればよい。なお、ユーザ設定データとは、標準データからのオフセット値のデータ（オフセットデータ）を指すが、標準データにユーザ変更を施したユーザ変更データ（すなわち標準データ＋オフセットデータ）としてもよく、その場合、起動時にはそのユーザ変更データのみで設定を行えばよいだけである。
【００４５】
図４は、本発明の一実施形態に係る電子機器に対して施される調整工程の他の例を説明するためのフロー図で、図３で例示した調整工程の手順とは異なる手順を示している。図４で説明する調整工程では、ホテルＡ，Ｂ用の設定データが、一般ユーザ（市販用）設定データと独立して、単独でＴＶ受像機１が稼働できるデータであることを前提とする。
【００４６】
まず、ステップＳ１〜Ｓ６で説明したように、各用途毎に調整を実行しその調整結果を用途別の格納領域に格納する（ステップＳ２１〜Ｓ２６）。用途毎の設定データは互いに独立したデータであり、ホテルＡ用、ホテルＢ用、及び一般ユーザ（市販用）の順序は問わない。但し、この例では、ホテルＡ，Ｂ用の調整を行った後、それらにも共通する部分をもつ一般ユーザ（市販用）の調整を行った結果を領域Iだけでなく領域II，IIIにも書き込んでいる。また、ステップＳ９，Ｓ１０，Ｓ１１に対応する処理では、ホテルＡの場合には領域I，IIIのみを消去し（ステップＳ２９）、一般ユーザの場合には領域II，IIIのみを消去し（ステップＳ３０）、ホテルＢの場合には領域I，IIのみを消去する（ステップＳ３１）。
【００４７】
図５は、図１のＴＶ受像機において表示された分割画面及びその設定メニューの一例を示す図である。図６は、本発明の他の実施形態に係る電子機器に対して施される分割画面別調整工程を、格納された設定データの遷移と共に説明するための図で、図１のＴＶ受像機１における不揮発性メモリ３０に格納された設定データの一例を示す図でもある。また、図７は、図６の設定データの格納手順を含む分割画面別調整工程の一例を説明するための図である。
【００４８】
図５乃至図７を参照して例示する分割画面別調整工程が適用できる電子機器は、少なくとも映像表示装置又は映像出力装置を具備しておく必要がある。また、用途として音声データの種類を採用する場合には電子機器に音声出力装置も具備しておく必要がある。そして、この例における用途としては、基本的に、映像表示装置の表示画面を分割した場合の分割画面別に分類されたものを少なくとも含むものとする。この分類を含むことで、特殊な設定結果の保護だけでなく大画面テレビを複数人で共有する場合に個人毎のお好み設定等の保護を図ることもできる。
【００４９】
ここで、分割画面別の用途とは分割画面のそれぞれの用途を指し、分割方法も、４分割した例を示すが、画面Ａ及び画面Ｃなどを一つの画面とした３分割や、９分割など様々な方法が適用できる。そして、分割方法に応じて、各分割画面の用途が異なる可能性があることを前提とし、４分割用の各分割画面、３分割（左側に大画面）用の各分割画面、３分割（上側に大画面）用の各分割画面、９画面用の各分割画面、といった具合に、設定データが分割画面別に別々のエリアに格納するとよい。また、以下に例示するように、上述した一般ユーザ（市販用）設定データのような共通の設定データをもたせて、そこからの差異として分割画面別の設定データを定義するとよい。勿論、メモリ容量の心配がない場合には、共通設定データはもたずに独立して各分割画面別設定データをもたせてもよい。
【００５０】
まず、一般ユーザ（市販用）の調整を実施して得た一般ユーザ（市販用）設定データ（ここでは全画面共通設定データとして取り扱う）を、格納領域６１で示すマッピング例のように領域Iに書き込んでおく。そして、その全画面共通設定データを領域Iから読み出しその設定データに基づき起動させたＴＶ受像機１で、画面の分割機能を用いて図５の画面６０に例示するような分割画面を表示する（ステップＳ４１）。
【００５１】
画面６０では、画面Ａ〜Ｄで均等に４分割した場合で、画面Ａ，Ｃには異なる動画（例えば地上波デジタル放送の映像とＢＳデジタル放送の映像）が入力され、画面Ｂには入力無し、画面ＤにはＴＶ受像機１に外部接続されたＰＣからの画像が入力された例を示している。
【００５２】
次に、視聴中の画面Ａ用の調整を実施する（ステップＳ４２）。ここでは、リモコン４のメニュー画面表示ボタン４１や本体側操作ボタンを押下してパスワード等の入力を行うか、或いは上述した調整手段で所定の操作を行うことで、設定メニュー画像６０ｍのごときＯＳＤ画像を表示させ、各項目の調整を行う。設定メニュー画像６０ｍの例では、画質の強弱の値、動画寄りの映像調整／静止画寄りの映像調整（Ｉ／Ｐ設定ともいう）、ノイズリダクションの強弱などが設定できる。ステップＳ４２に続き、その調整結果である画面Ａ用設定データを領域IIに書き込む（ステップＳ４３）。この結果、格納領域６２で示すようなマッピングとなる。なお、調整工程モードでの初期設定について説明しているが、ユーザがこの調整を実行している場合（領域II等がユーザ設定データである場合）には、調整開始時のパスワード等の入力は不要である。
【００５３】
ステップＳ４４の処理以前に、調整中の分割画面（ここでは画面Ａが該当）の設定データを他の分割画面にどのように反映させるかについて調整者に問合せておく。その回答を上述した調整手段やリモコン４や本体側操作ボタンなどから得て、後述のステップＳ４４，Ｓ４８，Ｓ５０，Ｓ５２等の判断で参照できるように不揮発性メモリ３０に保存しておく。また、後述のステップＳ４４，Ｓ４８，Ｓ５０，Ｓ５２の処理毎に調整者に問い合わせその回答を得て、各ステップでの判断に用いてもよい。この問合せは、ＧＵＩ（グラフィカルユーザインターフェース）としてＣＰＵ２９で実行しＯＳＤ表示可能に不揮発性メモリ３０に保存しておいても、ＯＳＤ表示で各問合せ項目への選択を受け付けるようにしてもよい。
【００５４】
ステップＳ４４では、画面Ａの調整を自動で反映するか否かを判定する。ここでＹＥＳの場合、他の画面Ｂ〜Ｄの映像データを識別し（ステップＳ４５）、動画寄りか静止画寄りかが画面Ａと同じ（この例では画面Ａは動画寄り）であるか否かを判定する（ステップＳ４６）。
【００５５】
ステップＳ４６で、異なる場合にはそのまま処理を終了し、同じであった場合には、領域IIのデータのうち動画用データのみ、動画寄りの画面（この例では画面Ｃのみ）に対応する領域（領域IV）にのみコピーする（ステップＳ４７）。ここでは、画面Ａで設定した調整値をそのままコピーするのではなく、その際画面Ｃに対して画面Ａの設定は適切であるが、画面Ｂ，Ｄに対しては適切でないと判断し、その判断結果に基づき画面Ｂ，Ｄに対応する格納領域にはコピーしないようにしている。この結果、格納領域６５で示すようなマッピングとなる。その後、各画面Ｂ〜Ｄ用の設定データは必要に応じて調整してもよい。ステップＳ４７により、映像データの識別結果に応じた設定データを読み出すことができる。
【００５６】
調整対象となっている画面Ａの映像やその他の画面Ｂ〜Ｄの映像は、予め各分割画面に入力される映像信号が動画か静止画（ＰＣ画像等）かで規定されている場合にはその分割表示規定に従って、判別（識別）すればよい。その場合、図５の画面６０は規定されている経路で映像が入力されていることとなる。また、他の識別方法としては、実際にユーザが使用し各画面Ａ〜Ｄへの入力としてユーザ指定した経路から映像が入力されている場合には、その経路で識別しても、また実際に入力されている映像自体又は音声自体の特徴やコンテンツ情報（ＥＰＧデータから取得しても映像に添付された情報から取得してもよい）から識別してもよい。後者の場合には、映像データの種類として動画／静止画の識別だけでなく、映像の特徴量やジャンルなどで識別することも可能となる。また、静止画であっても肌色部分がどれだけ存在するかなどを検出することもでき、それによって結果的に顔用の補正を行う設定値を読み出すこともできる。
【００５７】
実際、映像調整値は静止画の場合と動画の場合とで最適値が分かれるため、静止画か否かをインターネット表示画面か否かなどで判定して、静止画部分にはその設定は行わず、動画画面のみその設定を行うようにすることもできる。また、その逆で静止画用の設定データの設定値を動画エリアに反映させないようにすることもできる。動画、静止画などで分けて管理すべきデータとしては、例えば設定メニュー画像６０ｍで例示したようなデータである。
【００５８】
このように、用途としては、分割画面に表示される入力映像の種類別に分類されたものを含むことが好ましい。そして、指定手段は、各分割画面に対してそれぞれ、（分割画面に対応した設定データ及び）分割画面に入力される映像の種類に対応した設定データを指定するようにしておくとよい。ここで、分割画像に入力される映像としては、上述した規定の映像（入力されるべき映像）を採用しても、上述した実際に入力中の映像を採用してもよい。
【００５９】
また、指定手段は、画面分割方法（何分割するか、各分割領域のサイズはどうするか）をユーザに指定させて、各分割画面に入力されている映像を入力経路や実際の入力映像などから検出することで判定し、各分割画面でその映像に合致した格納領域内の設定データを自動的に指定して読み出すようにしてもよい。これにより、画面分割方法を指定するだけで、各分割画面で入力映像に合致した設定データでの表示を行うことができる。
【００６０】
また、用途として分割画面別に分類されたものを含まない場合にも、映像表示装置又は映像出力装置を備えてさえいれば、用途を映像データの種類で分類することも可能である。この場合、用途は、映像表示装置の表示画面に入力される映像の種類で分類された用途を含むこととなる。そして、指定手段は、表示画面に入力されている映像の種類に対応した設定データを指定する。その詳細は分割画面に対して説明したものと同様である。但し、一画面であるため、入力映像としては様々なケースが採り得、従って映像データの種類の判別は、入力映像自体、コンテンツ情報、実際の入力経路のいずれかからなされる。また、同様に、音声出力装置を備えてさえいれば、用途を音声データの種類で分類することも可能である。
【００６１】
図７の続きを説明すると、ステップＳ４４でＮＯの場合、画面Ａの調整を他の画面Ｂ，Ｃ，Ｄに反映するか否かの判断を行い（ステップＳ４８，Ｓ５０，Ｓ５２）、反映する場合には領域IIのデータを領域III，IV，Vにそれぞれコピーする（ステップＳ４９，Ｓ５１，Ｓ５３）。例えば、画面Ｂにのみ反映した場合の結果は、格納領域６４で示すようなマッピングとなる。
【００６２】
ステップＳ４７で一部のコピーについて、またステップＳ４９，Ｓ５１，Ｓ５３で全部のコピーについて例示したように、個別格納手段は、次の複写手段を有することが好ましい。この複写手段は、或る分割画面に対応する格納領域に書き込まれた設定データの一部又は全部（調整対象画面の設定値）を、非視聴画面（非調整対象画面）に対応する他の格納領域の設定データの一部又は全部としてＲＡＭ２８等を適宜用いながら複写（コピー）する。このコピーのために、まず分割画面毎に設定する格納領域を分け、ステップＳ４２，Ｓ４３で例示したように視聴画面（調整対象画面）のみをその調整結果（及び全画面共通設定データ）で初期設定しておくとよい。また、ステップＳ４７，Ｓ４９，Ｓ５１，Ｓ５３では、或る分割画面に対応する設定データを調整者やユーザが固定している場合にはコピーを禁止するようにしてもよい。
【００６３】
また、図７の処理では、ステップＳ４４でＹＥＳの場合に映像データの種類に応じて処理を行ったが、映像データの種類などに無関係に全ての画面Ｂ〜Ｄに或いは指定した画面にのみコピーし画面Ａの調整を反映させてもよい。この結果、格納領域６３で示すようなマッピングとなる。また、その後も各画面Ｂ〜Ｄ用の設定データは必要に応じて調整してもよい。
【００６４】
また、同機種の２台目以降では、ステップＳ４２での調整は基本的に不要であるため、予め或いはその場で選択された反映方法や初期設定方法に従って、ステップＳ４４〜Ｓ４６，Ｓ４８，Ｓ５０，Ｓ５２の判断を経てステップＳ４７，Ｓ４９，Ｓ５１，Ｓ５３でのコピーを同時に行えばよい。さらに、調整工程モードでの初期設定を前提にして説明したが、図５乃至図７を参照して説明した内容はユーザ操作によりなされてもよい。
【００６５】
図８は、図１のＴＶ受像機において表示された分割画面及び各分割画面での設定項目画面の一例を示す図である。図９及び図１０は、それぞれ、本発明の他の実施形態に係る電子機器に対して施される複数の分割画面を使用した調整工程を、格納された設定データの遷移と共に説明するための図で、図１のＴＶ受像機１における不揮発性メモリ３０に格納された図８に関連する設定データの一例を示す図でもある。図８乃至図１０で説明する例が適用できる電子機器も図５乃至図７で例示したものと、基本的に同様である。さらに、調整工程モードでの初期設定を前提にして説明するが、ここで説明する内容はユーザ操作によりなされてもよい。
【００６６】
まず、図６の格納領域６１と同様に、図９の格納領域７１で示すマッピング例のように領域Iに全画面共通設定データを書き込んでおき、図５の画面６０と同様の手順で、図８の画面７０に例示するような分割画面を表示する。画面７０では、画面Ａ〜Ｄで均等に４分割した場合で、画面Ａにはホワイトバランス調整画像が、画面Ｂにはコンポーネント調整画像が、画面ＣにはアナログＲＧＢ調整画像が、画面Ｄにはモニタ調整画像が、それぞれ表示された例を示している。画面７０で表示の調整画面は、調整工程において特にアナログ回路について部品のばらつきを吸収するために施される各種調整項目を、４つ一度に表示したものである。
【００６７】
この画面７０上で、調整者はホワイトバランス調整、コンポーネント調整、アナログＲＧＢ調整、モニタ調整を、各分割画面内の映像を確認しながら行う。それぞれの調整結果は、格納領域７２で例示したマッピングのように領域II，III，IV，Vに格納される。次に、画面Ａの調整を他の画面Ｂ〜Ｄに反映させると、格納領域７３で例示するマッピングのように領域III，IV，Vにもホワイトバランス調整の結果が反映される。同様にして、画面Ｂ〜Ｄの調整もそれぞれ他の画面に反映させると、格納領域７４で例示するマッピングの状態を経て、最終的に格納領域７５のマッピングのように領域II，III，IV，V全てに４つの調整が全て反映された結果が格納される。
【００６８】
このように、上述した複写手段は、分割画面毎に設定した異なる種類の設定値（設定項目の値）を、一つの格納領域の設定データの設定群として複写する手段を有することが好ましい。この複写により、分割画面毎に設定した設定値群を含む一つの設定データを一つの格納領域に格納することができる。従来、調整を行う際には一つの画面で行っていたが、大画面を生かして複数の調整を同時に分割画面で行い、調整後に各設定値を各格納領域から呼び出して各々コピーすることができる。これにより、調整時間がかなり短縮される。
【００６９】
次に、図１０を参照して、図９の調整工程に対して設定データの格納手順が異なるものを説明する。まず、同様に格納領域８１で示すマッピング例のように領域Iに全画面共通設定データを書き込んでおき、さらに各分割画面Ａ〜Ｄ用の領域II〜Vには対応する設定データを書き込んでおく。この状態でＴＶ受像機１を起動して図８の画面７０に例示するような分割画面を表示する。ここで各画面内に表示されている映像は格納領域８１でのそれぞれの画面用の設定データで設定されたものとなる。
【００７０】
次に、この画面７０上で、調整者はホワイトバランス調整、コンポーネント調整、アナログＲＧＢ調整、モニタ調整を、各分割画面内の映像を確認しながら行う。それぞれの調整結果は、格納領域８２で例示したマッピングのように領域II，III，IV，Vで書き換えられる。次に、画面Ａ〜Ｄの調整結果を領域Iの全画面共通設定データに反映させると、格納領域８３で例示するマッピングのようになる。
【００７１】
続いて、画面Ａの未調整の項目（コンポーネント調整、アナログＲＧＢ調整、モニタ調整）を領域III，IV，Vにコピーして反映させる。これにより格納領域８４で例示するマッピングのようになる。最後に、画面Ｂの未調整の項目（ホワイトバランス調整）を領域III，IV，Vにコピーして反映させることで、格納領域８５で例示するマッピングのようになる。結果として、格納領域８５の領域II〜Vは格納領域８１と同じに戻してあるが、領域Iの全画面共通設定データで４つの調整項目が調整済みとなっている。このように、各分割画面Ａ〜Ｄで調整した内容を全画面共通設定データとして格納することも可能である。
【００７２】
以上、図１乃至図１０を参照しながら、本発明の電子機器について各実施形態を説明してきたが、本発明の電子機器においてその調整手順に沿って説明したように、本発明は電子機器における設定値の設定方法としての形態も採用できる。
【００７３】
また、上述した電子機器（各種ＡＶ機器等）或いは上述の調整手段（コマンダ等）に組み込み、その手順を実行するためのプログラムとしての形態も採用してもよい。このプログラムは、図１でプログラムとして例示したものである。そして、このようなプログラムは、それを記録したコンピュータ読み取り可能な記録媒体としての配布することやネットワーク経由で配信することができ、本発明に係る処理を実行させたい電子機器或いは上述の調整手段に、実行可能に組み込むことができる。
【図面の簡単な説明】
【００７４】
【図１】本発明に係る電子機器の一例としてのＴＶ受像機の構成例を示すブロック図である。
【図２】本発明の一実施形態に係る電子機器に対して施される調整工程を、格納された設定データの遷移と共に説明するための図である。
【図３】図２の設定データの格納手順を含む調整工程の一例を説明するためのフロー図である。
【図４】本発明の一実施形態に係る電子機器に対して施される調整工程の他の例を説明するためのフロー図である。
【図５】図１のＴＶ受像機において表示された分割画面及びその設定メニューの一例を示す図である。
【図６】本発明の他の実施形態に係る電子機器に対して施される分割画面別調整工程を、格納された設定データの遷移と共に説明するための図である。
【図７】図６の設定データの格納手順を含む分割画面別調整工程の一例を説明するための図である。
【図８】図１のＴＶ受像機において表示された分割画面及び各分割画面での設定項目画面の一例を示す図である。
【図９】本発明の他の実施形態に係る電子機器に対して施される複数の分割画面を使用した調整工程を、格納された設定データの遷移と共に説明するための図である。
【図１０】本発明の他の実施形態に係る電子機器に対して施される複数の分割画面を使用した調整工程を、格納された設定データの遷移と共に説明するための図である。
【符号の説明】
【００７５】
１…ＴＶ受像機、４…リモコン、１０…外部入力部、１１…受信アンテナ、１２…受信アンテナ、１３…アナログチューナ部、１４…デジタルチューナ部、１５…ＡＶ信号処理部、１６…デジタル復調部、１７…分離部、１８…キャプチャ部、１９…ビデオセレクタ部、２０…ＥＰＧ／ＯＳＤ／予約処理部、２１…オーディオデコード部、２２…ビデオ出力変換部、２３…オーディオセレクタ部、２４…オーディオ出力変換部、２５…液晶表示装置、２６…スピーカ、２７…選局部、２８…ＲＡＭ、２９…ＣＰＵ、３０…不揮発性メモリ、３１…通信制御部、３２…リモコン受光部、４１…メニュー画面表示ボタン、４２…移動・決定ボタン、５１〜５５，６１〜６５，７１〜７５，８１〜８５…格納領域、６０，７０…画面、６０ｍ…設定メニュー画像。
【図１】
2008205610.tif 000003
【図２】
2008205610.tif 000004
【図３】
2008205610.tif 000005
【図４】
2008205610.tif 000006
【図５】
2008205610.tif 000007
【図６】
2008205610.tif 000008
【図７】
2008205610.tif 000009
【図８】
2008205610.tif 000010
【図９】
2008205610.tif 000011
【図１０】
2008205610.tif 000012